(57)【要約】【課題】  本発明は、斯かる実情に鑑み、海中や水中に投下・落水した際に、確実にレーダー反射装置としての機能を発現するために、水上に浮上し、しかも、レーダー反射装置として反射機能に優れているという高い機能を有しつつも、携帯可能な小型軽量な装置であり、かつ、安価な装置を提供しようとするものである。【解決手段】  本件発明は、高圧ガスボンベ部と、前記高圧ガスボンベ部に圧入された高圧ガスを開放するためのガス開放スイッチ部と、前記ガス開放スイッチ部により開放された高圧ガスにより膨張して中空支柱となる支柱部と、前記支柱部先端に配置され、前記開放スイッチにより開放され、前記支柱部を介して導入されるガスにより膨張してレーダー波を反射可能となる反射部と、を有する携帯型レーダー反射装置である。【選択図】  図１
2005112026.tif 000002
【特許請求の範囲】
【請求項１】
高圧ガスボンベ部と、
前記高圧ガスボンベ部に圧入された高圧ガスを開放するためのガス開放スイッチ部と、
前記ガス開放スイッチ部により開放された高圧ガスにより膨張して中空支柱となる支柱部と、
前記支柱部先端に配置され、前記開放スイッチにより開放され、前記支柱部を介して導入されるガスにより膨張してレーダー波を反射可能となる反射部と、
を有する携帯型レーダー反射装置。
【請求項２】
前記支柱部と、前記反射部とは、それぞれ折り畳み可能である請求項１に記載の携帯型レーダー反射装置。
【請求項３】
前記高圧ガスボンベ部は、前記支柱部の前記反射部と反対側の端部に配置されている請求項１または請求項２に記載の携帯型レーダー反射装置。
【請求項４】
前記反射部には、その端部が反射部内壁に略内接する薄板状金属である反射板手段が配置されている請求項１から３のいずれか一に記載の携帯型レーダー反射装置。
【請求項５】
前記反射板は、アルミ箔、ステンレス箔、銅箔、メッキした金属箔、防食処理を施した金属箔、表面に金属をコーティングしたビニールまたは有機繊維のいずれか一又は二以上の材料の組み合わせ、からなる請求項４に記載の携帯型レーダー反射装置。
【請求項６】
前記支柱部には、人間が口で空気を吹き込むための空気吹き込み逆止弁を有する請求項１から５のいずれか一に記載の携帯型レーダー反射装置。
【請求項７】
前記支柱部の前記ガスボンベ部寄りに自身が水面上に浮く際に姿勢を安定されるためのフロート部を有する請求項上１から６のいずれか一に記載の携帯型レーダー反射装置。
【請求項８】
前記反射部は、円筒形である請求項１から７のいずれか一に記載の携帯型レーダー反射装置。
【請求項９】
前記反射部は、角柱形である請求項１から７のいずれか一に記載の携帯型レーダー反射装置。
【請求項１０】
前記反射部は、球形である請求項１から７のいずれか一に記載の携帯型レーダー反射装置。
【請求項１１】
前記反射部の最上部には、光を発する発光部が配置されている請求項１から１０のいずれか一に記載の携帯型レーダー反射装置。
【請求項１２】
前記反射板手段は、反射板が折り畳み展開自在な格子状に組み合わされたものである請求項１から１１のいずれか一に記載の携帯型レーダー反射装置。
【発明の詳細な説明】
【技術分野】
【０００１】
本発明は海難事故に際して、落水した人の位置を、近傍を通る船や救助船や救助隊が容易に発見できることを目的とした携帯型レーダー反射装置に関する。
【背景技術】
【０００２】
わが国は周辺を海に囲まれ、船舶の運行は重要な役割を担っているが、さらに、近年のレジャー産業の隆盛により、小型船舶が増加し、こうした小型船舶からの落水事故が増加している。また、湖や川などにおける落水事故もあとを絶たない。このような事故の中で、人が船外に投げ出された場合に難しいのは、救助の際に落水者の位置を特定することであり、この特定するための手段がない場合は、救助が遅れて死亡事故につながるなどの問題が生じたことである。これを解決するためのものとして、レーダー反射装置があるが、従来のレーダー反射装置は、大型であるがゆえに常時の携帯は不可能であり、したがって、非常時に落水者がレーダー反射装置の傍にいることはまずありえないために実用的に非常時に役に立たないという問題があった。
【特許文献１】特開９−１１８２９６
【発明の開示】
【発明が解決しようとする課題】
【０００３】
本発明は、斯かる実情に鑑み、海中や水中に投下・落水した際に、確実にレーダー反射装置としての機能を発現するために、海上・水上に浮上し、しかも、レーダー反射装置として反射機能に優れているという高い機能を有しつつも、携帯可能な小型軽量な装置であり、かつ、安価な装置を提供しようとするものである。
【課題を解決するための手段】
【０００４】
本件発明は、高圧ガスボンベ部と、前記高圧ガスボンベ部に圧入された高圧ガスを開放するためのガス開放スイッチ部と、前記ガス開放スイッチ部により開放された高圧ガスにより膨張して中空支柱となる支柱部と、前記支柱部先端に配置され、前記開放スイッチにより開放され、前記支柱部を介して導入されるガスにより膨張してレーダー波を反射可能となる反射部と、を有する携帯型レーダー反射装置である。
【発明の効果】
【０００５】
本発明は請求項１から請求項１２からなる携帯型レーダー反射装置であって、以下のような効果を奏する。
【０００６】
（１）海面や水面への落水時でも安定的にそのレーダー装置としての機能を発現し、例えば、高波等をかぶってレーダー装置が横転した場合にも、再び、起き上がりレーダー装置の機能を発現できる。
【０００７】
（２）人が携帯できるために、落水時にも人から離れることがなく、落水した人とレーダー反射装置が離れ離れになるという問題がなくなる。
【０００８】
（３）携帯型レーダー反射装置上部には発光部を装備することにより、夜間などの捜索時には、落水した人の発見を容易にする。
【０００９】
（４）携帯型レーダー反射装置は軽量な材料にて製作するとともに、収納時に折りたためる材料を用いるために、小型軽量化を可能にできる。携帯性を重要視しているために、安全対策としてこの装置の装着を義務付けるなどすれば、落水時の安全対策が万全になる。ただし、本件発明は、必ずしも携帯を必須とするものでなく、船などに常備することができる程度のものであればよい。
【発明を実施するための最良の形態】
【００１０】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１１】
実施形態１は、主に請求項１などに関する。
【００１２】
実施形態２は、主に請求項２などに関する。
【００１３】
実施形態３は、主に請求項３などに関する。
【００１４】
実施形態４は、主に請求項４などに関する。
【００１５】
実施形態５は、主に請求項５などに関する。
【００１６】
実施形態６は、主に請求項６などに関する。
【００１７】
実施形態７は、主に請求項７などに関する。
【００１８】
実施形態８は、主に請求項８などに関する。
【００１９】
実施形態９は、主に請求項９などに関する。
【００２０】
実施形態１０は、主に請求項１０などに関する。
【００２１】
実施形態１１は、主に請求項１１などに関する。
【００２２】
実施形態１２は、主に請求項１２などに関する。
【００２３】
≪実施形態１≫
【００２４】
<実施形態１の構成>
図１を用いて、実施形態１を説明する。
【００２５】
実施形態１は、高圧ガスボンベ部０１０２と、ガス開放スイッチ部０１０３と、支柱部０１０４と、反射部０１０５からなる携帯型レーダー反射装置０１０１である。
【００２６】
<実施形態１の構成の説明>
【００２７】
「高圧ガスボンベ部」は、高圧ガスをボンベに封入保持する。高圧ガスは、窒素ガス、炭酸ガス、不活性ガス（アルゴンガス、ヘリウムガス等）、空気などである。このほかにも、エアバック用で用いられるガス発生器（インフレーター）を使用してもよい。ボンベは、金属、樹脂などの材料にてできている。例えば、防食メッキや塗装を行った鉄板や銅版、アルミ、アルミ合金、ステンレス、チタン、チタン合金、強化プラスチック、グラスファイバー、カーボンファイバーを単独あるいは、組み合わせて使用してもよい。
【００２８】
「ガス開放スイッチ部」は、前記高圧ガスボンベ部に圧入された高圧ガスを開放するためのものをいう。例えば、水圧や着水を感知して高圧ガスボンベ部内のガスを外に出すために、ボンベの栓を開放する仕様か、あるいは、穴があく構造でもよい。その際に、水により破れるパルプ製の圧力栓を使用したり、あるいは水を感知する電子回路を用いて、電気的に開く電気動作が可能な弁を使用してもよい。
【００２９】
「支柱部」は、前記ガス開放スイッチ部により開放された高圧ガスにより膨張して中空支柱となる。前記高圧ガスは、高圧ガスボンベ部にて封入保持されたものである。
【００３０】
「反射部」は、前記支柱部先端に配置され、前記開放スイッチにより開放され、前記支柱部を介して導入されるガスにより膨張してレーダー波を反射可能となる。反射部は、その大気に接している外面自体がレーダー波を反射してもよいし、外面自体はレーダー波を反射せずに、反射部の内部構造によってレーダー波を反射する構造であっても良い。前者の場合には外面自体がレーダー波を反射する材料で構成されており、後者の場合にはその内部構造にレーダー波を反射する材料が用いられている。
【００３１】
本実施形態の高さは、例えば、高さ１００ｃｍである。高圧ガスボンベ部の圧力は０．５Nm3（ノルマルリュウベイ）である。図２に示すプロセスにて反射部が展開される。展開後、レーダー反射部は横転をせず、レーダー装置にて認識することが可能である。
【００３２】
<効果>    
【００３３】
本実施形態の携帯型レーダー反射装置によって、落水時に、確実にレーダー反射装置としての機能を発現し、落水者の救助のための位置特定が確実になる、という効果を奏する。
【００３４】
≪実施形態２≫
【００３５】
<実施形態２の構成>
【００３６】
実施形態２は、主に実施形態１を基本として、高圧ガスボンベ部と、ガス開放スイッチ部と、支柱部と、反射部からなる携帯型レーダー反射装置であり、特徴点は、前記支柱部と、前記反射部とは、それぞれ折り畳み可能である点である。
【００３７】
<実施形態２の構成の説明>
【００３８】
実施形態２の高圧ガスボンベ部と、ガス開放スイッチ部と、支柱部と、反射部と、に関しては基本的機能は実施形態１と共通であるので、詳細な説明は省略する。
【００３９】
実施形態２の「支柱部」と、「反射部」とは、折り畳み収納可能な、ナイロン製やビニール製である。例えば、図９に示す蛇腹状の折畳み方法０９３１や、ロール状に巻き込む方法０９３０がある。高圧ガスボンベ部のガス開放スイッチからボンベを取外し、真空ポンプで引くことにより、さらに小型に折畳むことが出来る。このナイロン製やビニール製の反射部は、それ自体に金属がコーティングされていてレーダー波を反射しても良いし、それ自体はレーダー波を反射せず、内部構造にレーダー波を反射する材料が用いられていても良い。またさらに、前者の場合には、表面にコーティングされた金属に保護膜が配されていても良い。保護膜は、例えば薄いビニール材料などである。
【００４０】
折り畳むために、材料は折り曲げに強く、破れにくいものが好ましい。例えば、ナイロン製やビニール製等の有機繊維製の布を使用する。さらに耐水処置を行うことが好ましい。魚網等で使用されるプラスチック繊維を用いた布も使用可能である。さらに、その布を二重三重に重ねた構造として、構造的に強化することも好ましい。また、濡れた部分を長期間放置すると、構成材料が癒着し、破損する。これを防止する方法として、発明者らが鋭意研究した結果、この布の表面には０．１ｍｍ以上、１０ｍｍ未満の凸凹あるいはざらつきを持たせる。０．１ｍｍ未満では、材料が付着し、１０ｍｍ超では折り畳みが困難となる、などの結果が得られている。
【００４１】
<効果>
【００４２】
本実施形態によって、小型軽量な携帯性のよいレーダー装置を実現することができる、という効果を奏する。
【００４３】
≪実施形態３≫
【００４４】
<実施形態３の構成>
【００４５】
実施形態３は、主に実施形態１または実施形態２を基本として、高圧ガスボンベ部と、ガス開放スイッチ部と、支柱部と、反射部からなる携帯型レーダー反射装置であり、特徴点は、前記高圧ガスボンベ部は、前記支柱部の前記反射部と反対側の端部に配置されている点である。
【００４６】
<実施形態３の構成の説明>
【００４７】
実施形態３の高圧ガスボンベ部と、ガス開放スイッチ部と、支柱部と、反射部と、に関しては基本的機能は実施形態１または実施形態２と共通であるので、詳細な説明は省略する。
【００４８】
実施形態３の「高圧ガスボンベ部」は、前記支柱部の前記反射部と反対側の端部に配置されている。この高圧ガスボンベ部は、それ以外の部分に比較して重く、それがゆえに水面上に本件発明の携帯型レーダー反射装置が浮遊している場合にはおもりの役割を果たすこととなる。
【００４９】
携帯型レーダー反射装置が海面や水面上に落水・展開した後に予想以上の高波等をかぶった場合にも、横転し、復元しない場合を想定し、発明者らが鋭意研究した結果、高圧ガスボンベ部をこの場所に設置することによって、携帯型レーダー反射装置の海面等での横転後も再び、起き上がり、確実に復元できる。なお、「端部」とは、必ずしも終端部（それ以上続きの構造がない構成）である必要はなく、終端部ないしは、終端部近傍の意味である。
【００５０】
<効果>
【００５１】
本実施形態の携帯型レーダー反射装置によって、実施形態１または２の効果に加えて、例えば、予想以上の高波等をかぶり横転した場合にも確実に復元し、元通りの機能を発揮できるようになる、という効果を奏する。
【００５２】
≪実施形態４≫
【００５３】
<実施形態４の構成>
図３を用いて実施形態４を説明する。
【００５４】
実施形態４は、主に実施形態１から３のいずれか一を基本として、高圧ガスボンベ部と、ガス開放スイッチ部と、支柱部と、反射部からなる携帯型レーダー反射装置であり、特徴点は、前記反射部には、その端部が反射部内壁に略内接する薄板状金属である反射板手段０３０９が配置されている点である。
【００５５】
<実施形態４の構成の説明>
【００５６】
実施形態４の高圧ガスボンベ部と、ガス開放スイッチ部と、支柱部と、反射部と、に関しては基本的機能は実施形態１から３のいずれか一と共通であるので、詳細な説明は省略する。
【００５７】
実施形態４の「反射部」には、反射板手段が配置されている。
【００５８】
「反射板手段」は、その端部が反射部内壁に略内接する薄板状金属である。前記反射板手段は、良好な反射特性を有し、同時に耐腐食性を有する。例えば、その材質として金属材料については、防食メッキや塗装を行った鉄板や銅版、アルミ、アルミ合金、ステンレス、チタン、チタン合金が好ましい。非金属材料については、その表面にアルミ、アルミ合金、ステンレス、チタン、チタン合金等の金属箔を接着あるいはメッキあるいは蒸着あるいはコーティングした強化プラスチック、グラスファイバー、カーボンファイバーでもよい。
【００５９】
反射板手段の構造は、レーダー波が効率よく反射する構造が望ましい。たとえば、円筒形のレーダー反射部では、その直径Lｍが４ｃｍ以上、１００ｃｍ以下の三次元構造がレーダー波を効率よく反射する。４ｃｍ未満の場合には、入射レーダー波と反射レーダー波がお互いを打ち消す形となり、良好な反射特性が得られず、１００ｃｍ超の場合には、非反射レーダー波が増加し、良好な反射特性が得られない。そして、反射板手段は反射部の内壁に略内接するので、高圧ガスボンベ部からのガスにより反射部が膨張するにつれて反射板が展開する構造となる。この展開後の構造がレーダー波を効率的に反射する構造とすればよい。反射部の内壁に対する内接は、反射板の端部を内壁に対してひも状のもので固定するなどして実現できる。
【００６０】
<効果>
【００６１】
本実施形態の携帯型レーダー反射装置によって、実施形態１から３のいずれか一の効果に加えて、小型であるが反射性が良く、レーダーによる確認性を向上させるという効果を奏する。
【００６２】
≪実施形態５≫
【００６３】
<実施形態５の構成>
【００６４】
実施形態５は、主に実施形態１から４のいずれか一を基本して、高圧ガスボンベ部と、ガス開放スイッチ部と、支柱部と、反射部からなる携帯型レーダー反射装置であり、特徴点は、前記反射板は、アルミ箔、ステンレス箔、銅箔、メッキした金属箔、防食処理を施した金属箔、表面に金属をコーティングしたビニールまたは有機繊維のいずれか一の材料であるか、あるいは複数の材料の組み合わせ、からなる点である。
【００６５】
<実施形態５の構成の説明>
【００６６】
実施形態５の高圧ガスボンベ部と、ガス開放スイッチ部と、支柱部と、反射部と、反射板手段に関しては基本的機能は、実施形態１から４と共通であるので、詳細な説明は省略する。
【００６７】
実施形態５の「反射板」は、アルミ箔、ステンレス箔、銅箔、メッキした金属箔、防食処理を施した金属箔、表面に金属をコーティングしたビニールまたは有機繊維のいずれか一の材料であるか、あるいは複数の材料の組み合わせ、からなる。また、これ以外に、アルミ、アルミ合金、ステンレス、チタン、チタン合金等の金属箔を接着あるいはメッキあるいは蒸着あるいはコーティングした強化プラスチック、グラスファイバー、カーボンファイバーを使用しても良い。
【００６８】
<効果>
【００６９】
本実施形態の携帯型レーダー反射装置によって、実施形態１から４のいずれか一の効果に加えて、小型であるが高い反射性を発現し、レーダー装置からの確認性をさらに向上させるという効果を奏する。また、箔を利用すると軽量化できるという特徴が生まれる。また金属のコーティングをビニールなどに施すことによっても同じく軽量化が実現できる。軽量化するメリットは、携帯型レーダー反射装置自身を軽量化できるのみならず、反射部の膨張に応じて容易に反射板手段が展開可能とするためにも重要である。
【００７０】
≪実施形態６≫
【００７１】
<実施形態６の構成>
図４を用いて実施形態６を説明する。
【００７２】
実施形態６は、主に実施形態１から５のいずれか一を基本として、高圧ガスボンベ部０４０２と、ガス開放スイッチ部０４０３と、支柱部０４０５と、反射部０４０６からなる携帯型レーダー反射装置であり、特徴点は、実施形態５の支柱部には逆止弁０４０４を有する点をあげることができる。
【００７３】
<実施形態６の構成の説明>
【００７４】
実施形態６の高圧ガスボンベ部と、ガス開放スイッチ部と、支柱部と、反射部と、に関しては基本的機能は実施形態１から５のいずれか一と共通であるために詳細な説明は省略する。
【００７５】
実施形態６の「支柱部」には、人間が口で空気を吹き込むための空気吹き込み逆止弁を有する。これによって、十分に膨らまない場合の補助的手段が付与される。
【００７６】
逆止弁は、例えば、外部から内部圧力より大きな圧力が加わった時にのみ、支柱部の内部へガスを導入する。この逆止弁からの空気吹き込みは人間の息だけでなく、ダイバーが装着するエアータンクからのガスでも供給できるようにしてもよい。
【００７７】
材質は防食性を有するものが良く、例えば、防食メッキや塗装を行った鉄板や銅版、アルミ、アルミ合金、ステンレス、チタン、チタン合金、強化プラスチック、グラスファイバー、カーボンファイバーを単独あるいは、組み合わせて使用してもよい。
【００７８】
<効果>    
【００７９】
本実施形態の携帯型レーダー反射装置によって、実施形態１から５のいずれか一の効果に加えて、人間による空気吹き込みという、携帯型レーダー反射装置が十分に展開できなかった場合のフェールセーフ機構を付与する、という効果を奏する。
【００８０】
≪実施形態７≫
【００８１】
<実施形態７の構成>
図５を用いて実施形態７を説明する。
【００８２】
実施形態７は、主に実施形態１から６のいずれか一を基本として、高圧ガスボンベ部０５０２と、ガス開放スイッチ部０５０３と、支柱部０５０５と、反射部０５０６からなる携帯型レーダー反射装置であり、特徴点はフロート部０５０７を有する点をあげることができる。
【００８３】
<実施形態７の構成の説明>
【００８４】
実施形態７の高圧ガスボンベ部、ガス開放スイッチ部と、逆支弁、支柱部と、反射部と、に関しては基本的機能は実施形態１から６のいずれか一と同一であるために詳細な説明は省略する。
【００８５】
実施形態７の「支柱部」の前記ガスボンベ部寄りに自身が水面上に浮く際に姿勢を安定されるためのフロート部を有する。
【００８６】
前記フロート部は携帯型レーダー反射装置の姿勢を安定化するために設置する。携帯型レーダー反射装置が海面や水面上に展開した後に高波等をかぶった場合に、横転したり、装置先端の反射部が前後左右に揺れ、安定にレーダー波を反射出来ない可能性がある。フロート部を設ければ、倒れようとする際に、高圧ガスボンベ部の重みによる海面下に沈み込もうとする力と、フロート部の浮き上がろうとする力により偶力が発生し、横転と反対にモーメントが作用する。したがって、フロート部をこの場所に設置することにより、携帯型レーダー反射装置先端の揺れを押さえたり、また、横転を防止することが出来る。
【００８７】
また、このフロート部の位置は、高圧ガスボンベ部から離して設置するのがよい。離して設置することによって、偶力がさらに大きくなり、前述した揺れ防止び横転防止の効果はより顕著なものとなる。また、このフロート部は全体が沈まぬようにし、常に海面より上に本体が出る働きをしている。
【００８８】
<効果>    
【００８９】
本実施形態の携帯型レーダー反射装置によって、実施形態１から６のいずれか一の効果に加えて、高波が発生し、海面や水面が荒れた状態でも、反射板の位置が安定することによってレーダー波の反射を安定化させることができ、レーダー装置の認識性を向上できるという効果を奏する。
【００９０】
≪実施形態８≫
【００９１】
<実施形態８の構成>
【００９２】
実施形態８は、主に実施形態１から７のいずれか一を基本として、高圧ガスボンベ部０６０２と、ガス開放スイッチ部０６０３と、支柱部０６０５と、反射部０６０６からなる携帯型レーダー反射装置であり、特徴点は、前記反射部は円筒形である点である。
【００９３】
<実施形態８の構成の説明>
図６を用いて実施形態８を説明する。
【００９４】
実施形態８の高圧ガスボンベ部と、ガス開放スイッチ部と、逆支弁と、支柱部と、反射部と、フロート部と、に関しては基本的機能は実施形態１から７のいずれか一と共通であるために詳細な説明は省略する。
【００９５】
実施形態８の「反射部」は、円筒形である。したがって、これに略内接する反射板手段の外形もまた円筒形となる。なお、円筒形とは、略円筒形を意味する。したがって、円筒形には、円筒の外面に溝を形成したもの、逆に円筒の外面に盛り上がり線を配置したもの、円筒の一部に凸部があるもの、円筒の一部に凹部があるものなども含む趣旨である。円筒形が優れている点は、水面上をわたる風に対して抵抗が少なくなる点である。なお、続く実施形態９、１０に関しても外面の溝、盛り上がり線など同様であるので以後記載は省略する。
【００９６】
前記反射部は、直径Ｌｍの円筒形構造とした。発明者らが鋭意研究した結果、この構造は、同様な最大寸法で反射面の面積を最大となる構造である。同時に小さく折り畳むことができる。
【００９７】
<効果>    
【００９８】
本実施形態の携帯型レーダー反射装置によって、実施形態１から７のいずれか一の効果に加えて、小型でかつ反射面積を大きくとれる反射部を実現し、レーダー装置からの確認性を向上させるという効果を奏する。
【００９９】
≪実施形態９≫
【０１００】
<実施形態９の構成>
【０１０１】
実施形態９は、主に実施形態１から７のいずれか一を基本として、高圧ガスボンベ部０７０２と、ガス開放スイッチ部０７０３と、支柱部０７０５と、反射部０７０６からなる携帯型レーダー反射装置であり、特徴点は、前記反射部は、角柱形である点である。
【０１０２】
<実施形態９の構成の説明>
図７を用いて実施形態９を説明する。
【０１０３】
実施形態９の高圧ガスボンベ部と、ガス開放スイッチ部と、逆支弁と、支柱部と、反射部と、フロート部に関しては基本的機能は実施形態１から７のいずれか一と共通であるために詳細な説明は省略する。
【０１０４】
実施形態９の「反射部」は、角柱形である。したがって、これに略内接する反射板手段の外形もまた角柱形となる。
【０１０５】
前記反射部は、対角線の長さＬｍの角柱形構造とした。発明者らが鋭意研究した結果、この構造はレーダー波反射に関して指向性を有し、かつ遠距離へレーダー波を反射できる構造である。
【０１０６】
<効果>    
【０１０７】
本実施形態の携帯型レーダー反射装置によって、実施形態１から７のいずれか一の効果に加えて、指向性と遠距離反射性を有する反射部を実現し、レーダー装置からの確認性を向上させるという効果を奏する。
【０１０８】
≪実施形態１０≫
【０１０９】
<実施形態１０の構成>
【０１１０】
実施形態１０は、主に実施形態１から７のいずれか一を基本として、高圧ガスボンベ部１００２と、ガス開放スイッチ部１００３と、支柱部１００５と、反射部１００６からなる携帯型レーダー反射装置であり、特徴点は、前記反射部は、球形である点である。
【０１１１】
<実施形態１０の構成の説明>
図１０を用いて実施形態１０を説明する。
【０１１２】
実施形態１０の高圧ガスボンベ部と、ガス開放スイッチ部と、逆支弁と、支柱部と、反射部と、フロート部に関しては基本的機能は実施形態１から７と共通であるために詳細な説明は省略する。
【０１１３】
実施形態９の「反射部」は、球形である。したがって、これに略内接する反射板手段の外形もまた球形となる。
【０１１４】
前記反射部は、発明者らが鋭意研究した結果、直径Ｌｍの球形構造である。これは、支柱の傾きに関わらず全方位に対して安定的にレーダー波を反射できる。
【０１１５】
<効果>    
【０１１６】
本実施形態の携帯型レーダー反射装置によって、実施形態１から７のいずれか一の効果に加えて、全方位に対する安定的なレーダー波の反射を実現し、レーダー装置からの確認性を向上させるという効果を奏する。
【０１１７】
≪実施形態１１≫
【０１１８】
<実施形態１１の構成>
図８を用いて実施形態１１を説明する。
【０１１９】
実施形態１１は、主に実施形態１から１０のいずれか一を基本として、高圧ガスボンベ部０８０２と、ガス開放スイッチ部０８０３と、支柱部０８０５と、反射部０８０６からなる携帯型レーダー反射装置であり、特徴点は反射部の最上部には、発光部０８０８が配置されている点をあげることができる。
【０１２０】
<実施形態１１の構成の説明>
【０１２１】
実施形態１１の高圧ガスボンベ部と、ガス開放スイッチ部と、逆支弁と、支柱部と、反射部と、フロート部と、に関しては基本的機能は実施形態１から１０と同一であるために詳細な説明は省略する。
【０１２２】
実施形態１１の発光部は、反射部の最上部に配置され、光を発する。この発光部には、低消費電力の高輝度発光ダイオード(ＬＥＤ)や放電管（フラッシュライト）やEL発光素子を使用してもよい。その駆動電源としては、蓄電池と太陽電池を組み合わせ使用してもよい。これらの組み合わせで長期間の点灯が出来る。また、発光部の点灯は、自動と手動にて実施できる。自動点灯は発光部の点灯回路内に太陽電池の発電電圧やフォトトランジスタやＣＤＳにて周辺の照度を監視する回路を組み込むことで実施してもよい。手動点灯はホール素子やリードスイッチ等の磁気センサーと磁石を用い、非接触にて点灯を行い、かつ、スイッチ類を外部に露出させない方式としてもよい。これにより、スイッチ類の水分による腐食等を抑制し、携帯型レーダー反射装置の信頼性と寿命を向上させることが出来る。また電源として燃料電池を利用することも考えられる。燃料電池の酸素は大気中から取得し、水素は、前記高圧ガスボンベ中のものを利用する構成とすることができる。
【０１２３】
<効果>    
【０１２４】
本実施形態の携帯型レーダー反射装置によって、実施形態１から１０のいずれか一の効果に加えて、携帯型レーダー反射装置の機能と併用して、遭難現場での遭難者の捜索に威力向上させるという効果を奏する。
【０１２５】
≪実施形態１２≫
【０１２６】
<実施形態１２の構成>
図３を用いて実施形態１２を説明する。
【０１２７】
実施形態１２は、主に実施形態１から１１のいずれか一を基本として、高圧ガスボンベ部０８０２と、ガス開放スイッチ部０８０３と、支柱部０８０５と、反射部０８０６からなる携帯型レーダー反射装置であり、特徴点は、反射板が複数格子状に組み合わされたものである点である。
【０１２８】
<実施形態１２の構成の説明>
【０１２９】
実施形態１２の高圧ガスボンベ部と、ガス開放スイッチ部と、支柱部と、反射部と、に関しては基本的機能は実施形態１から１１のいずれか一と共通であるので詳細な説明は省略する。
【０１３０】
実施形態１２の「反射板手段」は、反射板が複数格子状に組み合わされたものである。
【０１３１】
反射板手段は、発明者らが鋭意研究した結果得られたものである。図３において、円筒形のレーダー反射部では、その直径Lｍが４ｃｍ以上、１００ｃｍ以下の三次元構造とした。ここで、Lが４ｃｍ未満の場合には、入射レーダー波と反射レーダー波がお互いを打ち消す形となり、良好な反射特性が得られない。１００ｃｍ超の場合には、非反射レーダー波が増加し、良好な反射特性が得られない。さらに、この反射特性を向上するために、さらに金属箔で区切られた部屋をＬｓなる間隔で多段式に重ねた。Ｌｓは発明者らが鋭意研究した結果得られたものであり、ＬｓはＬ／５０以上、Ｌ／２以下の範囲とする。Ｌ／５０未満の場合には、入射レーダー波と反射レーダー波がお互いを打ち消す形となりと良好な反射特性が得られない。Ｌ／２超の場合には、非反射レーダー波が増加し、良好な反射特性が得られない。
【０１３２】
<効果>
【０１３３】
本実施形態の携帯型レーダー反射装置によって、実施形態１から１１のいずれか一の効果に加えて、携帯型レーダー反射装置の反射特性を向上させ、レーダー装置から認識性を向上させるという効果を奏する。
【図面の簡単な説明】
【０１３４】
【図１】携帯型レーダー反射装置の概念図
【図２】携帯型レーダー反射装置展開時の概念図
【図３】反射部の詳細図
【図４】逆支弁が付加された携帯型レーダー反射装置
【図５】フロート部が付加された携帯型レーダー反射装置
【図６】円筒形レーダー反射部の概念図
【図７】角柱形レーダー反射部の概念図
【図８】円筒形レーダー反射部と発光部設置の概念図
【図９】レーダー反射部の収納方法概念図
【図１０】球形レーダー反射部の概念図
【符号の説明】
【０１３５】
０１０１  携帯型レーダー反射装置
０１０２  高圧ガスボンベ部
０１０３  ガス開放スイッチ部
０１０４  支柱部
０１０５  反射部
０３２０  入射レーダー波
０３２１  反射レーダー波
０３２２  非反射レーダー波
０９３０  反射部巻取り収納方式
０９３１  反射部蛇腹収納方式
【図１】
2005112026.tif 000003
【図２】
2005112026.tif 000004
【図３】
2005112026.tif 000005
【図４】
2005112026.tif 000006
【図５】
2005112026.tif 000007
【図６】
2005112026.tif 000008
【図７】
2005112026.tif 000009
【図８】
2005112026.tif 000010
【図９】
2005112026.tif 000011
【図１０】
2005112026.tif 000012